(57)【要約】【課題】ソケットの受金に差し込んだランプの口金が緩まないようにする。【解決手段】筒状ソケット本体１内周部の受金２に、そのソケット本体１底部の端子壁３側から差込口４側に向かって伸びる板バネ１０を固定し、その板バネ１０は、受金２の内周面よりも内側に突出する圧接部１３を有して、その圧接部１３が受金２に差し込んだランプ口金に圧接するようにする。板バネ１０の両端１０ａ，１０ｂは、それぞれ受金２周面の透孔９を介して受金２の外側に伸びてその受金２の外周に圧接する押圧部１２ａ，１２ｂ及びソケット本体１の内周に圧接する支持部１１ａ，１１ｂを形成し、その押圧部１２ａ，１２ｂが受金２の外周に及び支持部１１ａ，１１ｂがソケット本体１の内周にそれぞれ圧接する。ランプ口金が圧接部１３を押圧すると、押圧部１２ａ，１２ｂにより受金２が押圧されて変形し、その変形した受金２と口金との摩擦力を増大させて緩みにくくする。【選択図】図１
2005347070.tif 000002
【特許請求の範囲】
【請求項１】
絶縁材からなる筒状ソケット本体１の内周部に筒状の受金２を取り付け、そのソケット本体１の底部には絶縁材からなる端子壁３を形成し、その端子壁３には、ソケット本体１の差込口４側から前記受金２に差し込んだランプ口金の先端接点に対応する中央接触子８を設けたソケットにおいて、
前記ソケット本体１に、前記端子壁３側から差込口４側に向かって伸びる板バネ１０を固定し、その板バネ１０は、前記受金２の内周面よりも内側に突出する圧接部１３を有して、その圧接部１３が受金２に差し込んだランプ口金に圧接するようになっており、その板バネ１０の端子壁側端１０ａは、前記ソケット本体１に固定されるとともに、その板バネ１０の差込口側端１０ｂは、前記受金２の周面に設けた透孔９を介して前記圧接部１３から受金２の外側に伸びてその受金２の外周に圧接する押圧部１２ｂ及びソケット本体１の内周に圧接する支持部１１ｂを形成し、その押圧部１２ｂが受金２の外周に及び支持部１１ｂがソケット本体１の内周にそれぞれ圧接することにより、前記板バネ１０の差込口側端１０ｂがソケット本体１に固定されることを特徴とするソケット。
【請求項２】
前記板バネ１０の端子壁側端１０ａは、その板バネ１０の端子壁側端１０ａが前記透孔９を介して前記圧接部１３から受金２の外側に伸びてその受金２の外周に圧接する押圧部１２ａ及びソケット本体１の内周に圧接する支持部１１ａを形成し、その押圧部１２ａが受金２の外周に及び支持部１１ａがソケット本体１の内周にそれぞれ圧接することにより、前記板バネ１０の端子壁側端１０ａがソケット本体１に固定されることを特徴とする請求項１に記載のソケット。
【請求項３】
前記圧接部１３は、受金２内に差し込まれたランプ口金５に圧接して外側に変形するとともに、その変形に伴い、前記押圧部１２ａ，１２ｂは、その受金２を内側へ向かって押圧して受金２を変形させることを特徴とする請求項１又は２に記載のソケット。
【請求項４】
前記押圧部１２ａ，１２ｂは、前記支持部１１ａ，１１ｂと前記圧接部１３とを結ぶ傾斜面に設けられて、その傾斜面からなる押圧部１２ａ，１２ｂが前記透孔９の縁に圧接することを特徴とする請求項３に記載のソケット。
【請求項５】
絶縁材からなる筒状ソケット本体１の内周部に、ランプの口金を差込み可能な筒状の受金２を取り付け、そのソケット本体１の底部には絶縁材からなる端子壁３を設けて、その端子壁３には、ランプ口金の先端接点に対応する中央接触子８を設けたソケットにおいて、
前記受金２は、ランプ口金をねじ込んで固定するものであり、前記中央接触子８と端子壁３との間にコイルバネ２０を介在させ、前記口金の先端接点で中央接触子８を押さえると、そのコイルバネ２０を介して前記中央接触子８を口金側に付勢することを特徴とするソケット。
【請求項６】
請求項１乃至４のいずれかに記載のソケットにおいて、前記受金２は、前記ランプ口金を前記差込口４内にねじ込んで固定するものであり、前記中央接触子８と端子壁３との間にコイルバネ２０を介在させ、前記口金の先端接点で中央接触子８を押さえると、そのコイルバネ２０を介して前記中央接触子８を口金側に付勢することを特徴とするソケット。
【発明の詳細な説明】
【技術分野】
【０００１】
この発明は、ランプの口金を差し込んで固定するソケットに関するものである。
【背景技術】
【０００２】
従来のねじ込み式ソケットは、例えば、特許文献１、特許文献２に示すように、絶縁材からなり一方開口した有底の筒状ソケット本体の内周に受金を取り付け、前記一方開口からランプ口金をねじ込み可能としたねじ込み式ソケットがある。受金内側には、ランプ口金側面のねじ部に当接する板バネ状の側面接触子が設けられており、その側面接触子は、ソケット本体の底部側から開口側に突出するように取付けられ、先端である開口側の端部がソケット本体の内周側に曲げられて、ランプ口金の挿入時の案内部が形成されている。ランプ口金をねじ込んだ際には、この側面接触子がランプ口金のねじ部に接して導通するとともに、そのねじ部が側面接触子を押圧することにより、その側面接触子が口金を内側へ付勢するようになっている。
【０００３】
また、ソケット本体の底部には中央接触子が設けられている。ランプ口金をねじ込んだ際には、この中央接触子がランプ口金の先端接点に接して導通するとともに、その先端接点が中央接触子を押圧することにより、その中央接触子が板バネのように作用して、その弾性力でもって口金を前記開放側に付勢するようになっている。
【０００４】
この側面接触子及び中央接触子の付勢により、ランプ口金は受金に圧接するので、その圧接により摩擦力を増大させて、口金が受金から緩解されないようになっている（例えば、特許文献１、特許文献２参照）。
【特許文献１】特開平１０−１８９１９０号公報
【特許文献２】特開２００１−１２６８３４号公報
【発明の開示】
【発明が解決しようとする課題】
【０００５】
しかし、上記のねじ込み式ソケットでは、口金と受金との緩み止め機能が、その口金を押さえる板バネの弾性力に依存しているため、口金の脱着の繰り返し、あるいは時間の経過とともにその板バネの弾性力が弱まると、口金が緩んでしまうことがある。口金が緩むと接触子との導通が不安定になり、また、これを放置すればランプが脱落することがあるので好ましくない。また、例えば、船舶で使用する集魚用のランプや、あるいは、その他輸送機器に用いられる各種ランプなど、揺れや振動を伴う過酷な状況の下でランプを使用する場合には、口金がさらに緩みやすくなるため、揺れや振動に対しても緩みにくい構造のソケットが求められる。
【０００６】
そこで、この発明は、受金に差し込んだランプの口金が緩まないようにすることを課題とする。
【課題を解決するための手段】
【０００７】
上記の課題を解決するために、この発明は、ソケット本体の受金内に板バネを設けて、その板バネが受金内に差し込んだランプの口金に圧接するようにし、そのランプの口金に圧接した板バネが外側に押圧されることにより、受金外周にはその反力が働いて逆に内側に押されて、受金外周とソケット内周との圧接度合いが高まるようにしたのである。このようにすれば、受金外周とソケット内周との圧接度合いが高まって、受金がソケット本体に対してより弾性をもってしっかりと固定されるようになる。受金がソケット本体に対して固定される際のその弾性度合いが高まると、揺れや振動の激しい状況下においても、その受金に差し込んだランプの口金に振動等が伝わりにくくなり、その結果、口金の緩みを防止し得るようになる。
【０００８】
具体的には、絶縁材からなる筒状ソケット本体の内周部に筒状の受金を取り付け、そのソケット本体の底部には絶縁材からなる端子壁を形成し、その端子壁には、ソケット本体の差込口側から前記受金に差し込んだランプ口金の先端接点に対応する中央接触子を設けたソケットにおいて、前記ソケット本体に、前記端子壁側から差込口側に向かって伸びる板バネを固定し、その板バネは、前記受金の内周面よりも内側に突出する圧接部を有して、その圧接部が受金に差し込んだランプ口金に圧接するようにする。その板バネの端子壁側端は、前記ソケット本体に固定されるとともに、その板バネの差込口側端は、前記受金の周面に設けた透孔を介して前記圧接部から受金の外側に伸びてその受金の外周に圧接する押圧部及びソケット本体の内周に圧接する支持部を形成して、その押圧部が受金の外周に及び支持部がソケット本体の内周にそれぞれ圧接することにより、前記板バネの差込口側端がソケット本体１に固定されるようにしたのである。
【０００９】
このようにすれば、受金にランプ口金を差し込むと、その口金が板バネの圧接部を外側へ向かって押圧し、その圧接部が外側へ押圧されることに伴い、板バネの差込口側端においては、受金外周に圧接する押圧部が、ソケット本体内周に反力を取って、その受金外周を内側へ向かってより強く押圧するようになる。このため、その板バネによる受金外周とソケット本体内周との圧接度合いを高めて、両者をより弾性をもって支持させることができる。
【００１０】
また、口金に圧接する板バネを介した上記受金とソケット本体との圧接構造を、その板バネの圧接部を挟んで板バネ両端部に設けてもよい。すなわち、上記構成のソケットにおいて、前記板バネの端子壁側端は、その板バネの端子壁側端が前記透孔を介して前記圧接部から受金の外側に伸びてその受金の外周に圧接する押圧部及びソケット本体の内周に圧接する支持部を形成して、その押圧部が受金の外周に及び支持部がソケット本体の内周にそれぞれ圧接することにより、前記板バネの端子壁側端がソケット本体に固定されるようにしたのである。このようにすれば、受金とソケット本体との圧接箇所が増えて、口金の緩み止めの効果がより高まる。
【００１１】
また、上記構成のソケットにおいて、前記圧接部は、受金内に差し込まれたランプ口金に圧接して外側に変形するとともに、その変形に伴い、前記押圧部は、その受金を内側へ向かって押圧して受金を変形させるようにした構成を採用し得る。
【００１２】
このようにすれば、受金に差し込まれたランプ口金は、板バネの弾性力でもって直接その周面を押さえられるとともに、同時に、その板バネによって押圧された受金が変形して、その変形した受金と口金との摩擦力を増大させる。このため、口金が受金に対してより緩みにくくなるのである。
【００１３】
さらに、前記受金外周に圧接する押圧部は、前記ソケット本体内周に圧接する支持部と前記口金に圧接する圧接部とを結ぶ傾斜面に設けられて、その傾斜面からなる押圧部が前記受金の透孔の縁に圧接するようにしてもよい。
【００１４】
このようにすれば、板バネが口金に圧接することによりその板バネが変形しても、その板バネの押圧部を構成する傾斜面が常に受金の透孔の縁に摺動しながら変形するので、板バネは受金に対して常に圧接した状態を維持するので好ましい。
【００１５】
また、他の手段として、前記受金は、ランプ口金をその差込部内にねじ込んで固定するものとし、前記前記中央接触子と端子壁との間にコイルバネを介在させ、前記口金の先端接点で中央接触子を押さえると、そのコイルバネを介して前記中央接触子を口金側に付勢するようにした構成を採用し得る。
【００１６】
このようにすれば、中央接触子は、コイルバネによってその中央接触子を口金の先端接点へ向かって付勢するので、ねじ込みにより噛み合った口金と受金との接触面同士を押圧し得る。通常、中央接触子に板バネを採用して、その板バネの弾性力でもって口金を付勢する場合には、その板バネのへたりにより付勢力が弱まり口金が緩むことがあるが、コイルバネによってその中央接触子を付勢すれば、板バネよりも強い弾性力でもって付勢でき、また、その弾性力がへたりにくい。このとき、その中央接触子には板バネを採用してもよいし、弾性力を有しない接触子であってもよい。
【００１７】
さらに、上記構成の板バネを備えたソケットにおいて、前記受金をねじ込み式とし、前記コイルバネを介して前記中央接触子を口金側に付勢するようにすれば、差込部に差し込まれた口金は、板バネの弾性力でもって直接その周面を押さえられるとともに、同時に、その板バネに押された受金が変形して、その変形した受金と口金との摩擦力が増大する。このため、口金が緩みにくくなるのである。
【発明の効果】
【００１８】
この発明は、以上のようにしたので、ソケットの受金に差し込んだランプの口金が緩まない。
【発明を実施するための最良の形態】
【００１９】
一実施形態のソケットを図１乃至図４に示す。この実施形態のソケットは、図１に示すように、絶縁材である磁器製の筒状ソケット本体１の内周部に、ランプ口金をねじ込んで差し込み可能とした筒状の受金２を取り付けたものである。そのソケット本体１の底部には絶縁材からなる端子壁３が形成されている。
【００２０】
前記受金２は、その端子壁３裏面に設けた一の極の端子台６にビス１５を介して接続されており、受金２に差し込まれたランプ口金の周面接点が、その受金２を介して端子台６に導通するようになっている。
【００２１】
また、前記端子壁３には、ランプ口金の先端接点に対応する中央接触子８が設けられている。中央接触子８は、図１に示すように、その根元部８ａが、ビス１６により前記端子壁３に固定されており、前記口金の先端接点に接する先端部８ｂに向かうにつれて、前記端子壁３から離れてやや差込口４側に立ち上がるように設けられている。このため、その中央接触子８自体が板バネのように作用して弾性を有しており、これに接触するランプ口金を差込口４側へ付勢するようになっている。また、前記根元部８ａは、前記端子壁３裏面に設けた他の極の端子台７に前記ビス１６を介して接続されており、受金２に差し込まれたランプ口金の先端接点が、その中央接触子８の先端部８ｂに接触して、端子台７に導通するようになっている。
【００２２】
また、前記中央接触子８と端子壁３との間には、コイルバネ２０を介在させており、前記口金の先端接点で中央接触子８を押さえると、そのコイルバネ２０を介して前記中央接触子８を口金側に付勢するようになっている。このコイルバネ２０は、端子壁３側の底部から差込口４側の先端部へと向かうにつれてその巻き径が細くなる形状を成しており、その底部は、コイルバネ２０中央の中空部が端子壁３に形成された突部１７に嵌められて、外れにくいようになっている。
【００２３】
前記受金２は、ランプ口金をねじ込んで固定できるように、その内周面にねじ溝２ａがらせん状に形成されて、ランプ口金の外周面に形成されたねじ部に対応するようになっており、その受金２の周面には、その周面の対向する部分に対の透孔９，９が形成されている。なお、受金２は、図２及び図３に示すように、端子壁３を貫通して前記端子台７に接続するビス１７及び当て金１７ａによって端子壁３に固定されているとともに、同じく、その端子壁３を貫通する別のビス１５及び当て金１５ａによっても、端子壁３に固定されている。
【００２４】
そのソケット本体１には、図１に示すように、前記透孔９の位置、すなわち、前記受金２の周面の対向する位置に、端子壁３側から差込口４側に向かって伸びる対の板バネ１０がそれぞれ固定される。その板バネ１０は、端子壁側端１０ａと差込口側端１０ｂとがソケット本体１内周に接するようになっており、その端子壁側端１０ａと差込口側端１０ｂとを結ぶ中程には、前記透孔９を介して、前記受金２の内周面よりも内側に突出する圧接部１３を有して、その圧接部１３が受金２に差し込んだランプ口金に圧接するようになっている。
【００２５】
すなわち、その板バネ１０は、その中程の前記圧接部１３が受金２内に位置しており、その圧接部１３から端子壁側端１０ａへ向かうにつれて、前記透孔９を介して、受金２の外側に伸びていく。そして、板バネ１０は、その受金２の透孔９の縁でもって受金２の外周を圧接する押圧部１２ｂを形成し、さらにその先、端子壁３側には、ソケット本体１の内周に圧接する支持部１１ｂを形成する。この押圧部１２ｂは、図４に示すように、前記支持部１１ｂと前記圧接部１３とを結ぶ傾斜面に設けられている。
【００２６】
また、板バネ１０の差込口側端１０ｂも、前記端子壁側端１０ａと同じく、前記圧接部１３からその差込口側端１０ａへ向かうにつれて、前記透孔９を介して、受金２の外側に伸びていく。そして、板バネ１０は、その受金２の透孔９の縁でもって受金２の外周を圧接する押圧部１２ａを形成し、さらにその先、差込口４側には、ソケット本体１の内周に圧接する支持部１１ａを形成する。この押圧部１２ａも、前記押圧部１２ｂと同様、図４に示すように、前記支持部１１ａと前記圧接部１３とを結ぶ傾斜面に設けられている。
【００２７】
このソケットの受金２に、差込口４側からランプ口金を差し込むと、前記圧接部１３は、図４に矢印Ａで示すように、そのランプ口金に圧接して外側に変形するとともに、その変形に伴い、前記押圧部１２ａ，１２ｂは、矢印Ｂに示すように、その受金２を内側へ向かって押圧して受金２を変形させる。つまり、受金２は、図２に示す対向する透孔９，９の部分で両側から内側に向かって押圧されて、楕円形にひずむように変形する。この変形により、受金２に差し込まれたランプ口金は、その受金２との圧接度合いを増して緩みにくい状態となる。
【００２８】
なお、このとき、板バネ１０の圧接部１３が外側に押圧された際に、例えば、図４に鎖線で示すように、板バネ１０が変形したり動いたりするが、その変形の前後において、押圧部１２ａ，１２ｂを構成する傾斜面が常に受金２に圧接した状態を維持するので好ましい。また、板バネ１０の押圧により受金２が変形することを許容している場合には、その受金２の透孔９の縁の位置は、ソケット本体１内を径方向内側に向かって移動してソケット本体１内周からの距離が変化することとなるが、このように、板バネ１０が傾斜面でもって前記受金２の透孔９の縁を内側に向かって押圧するようにすれば、その透孔９の縁の位置が変化する前後において、その透孔９の縁には常に傾斜面が圧接し得るので、その受金２への押圧力が弱まらない。このため、口金の差込み後は、常に、その口金と受金２との摩擦力が充分に確保され、口金が緩みにくい。
【００２９】
また、このソケットの受金２に口金を差し込むと、その口金の先端接点が前記中央接触子８を端子壁３側に向かって押さえることとなる。このとき、その押された中央接触子８は、コイルバネ２０を介して口金側、すなわち差込口４側に付勢されるようになっているので、口金も差込口４側へと付勢されて、そのねじ部は、受金２のねじ溝２ａに圧接されてとしっかりと噛み合うようになる。さらに、そのコイルバネ２０による口金の付勢に伴い、口金の周面のねじ部は、前記板バネ１０の圧接部１３にも圧接してその圧接度合いを高め、その板バネ１０を同付勢方向（差込口４側へと向かう方向）へと付勢し前記押圧部１２ｂを透孔９の縁にしっかりと押しつけて固定し得る。
【００３０】
この実施形態では、前記板バネ１０、及び透孔９は、受金２の周面にそれぞれ２箇所、対向するように設けたが、この実施形態には限定されず、それぞれ１箇所のみとしてもよいし、３箇所以上としてもよい。ただし、複数設ける場合は、その受金２の周回りに等分方位に設けるのが望ましい。
【００３１】
また、他の形態として、図５（ｂ）に示すように、支持部１１ａ，１１ｂと押圧部１２ａ，１２ｂとの位置関係を内外逆転させた構成も採用し得る。すなわち、板バネ１０は、その中程の前記圧接部１３が受金２内に位置しており、その圧接部１３から端子壁側端１０ａへ向かうにつれて、前記透孔９を介して、受金２の外側に伸びていく。そして、板バネ１０は、ソケット本体１の内周に圧接する支持部１１ｂを形成し、さらにその先、端子壁３側に、受金２の外周を圧接する押圧部１２ｂを形成したものである。また、板バネ１０の差込口側端１０ｂにおいて、支持部１１ａ、押圧部１２ａの態様も同様である。この構成において、ランプ口金によって圧接部１３が押圧された際の作用は、図４に示すように、押圧部１２ａ，１２ｂが受金２の外周を押圧して変形させる点で同様である。
【００３２】
なお、この実施形態では、板バネ１０の前記押圧部１２ａ，１２ｂ及び支持部１１ａ，１１ｂは、板バネ１０の圧接部１３を挟んでその板バネ１０の両側、すなわち端子壁側端１０ａ及び差込口側端１０ｂにそれぞれ設けるようにしたが、この実施形態には限定されず、図５（ａ）に示すように、板バネの差込口側端１０ｂにのみ設けるようにしてもよい。このとき、板バネ１０の端子壁側端１０ａは、図５に示すように、端子壁３から立ち上がるようにソケット本体１に固定してもよいし、その受金２に固定してもよい。また、いずれの態様においても、コイルバネ２０の効果を付加するかどうかも自由である。
【００３３】
また、ランプ口金を差し込んだ際の受金２の変形を望まない場合には、板バネ１０の弾性を若干弱めてもよい。板バネ１０の圧接部１３がランプ口金に圧接する際のその弾性を弱めれば、ソケット本体１内周に反力を取る前記受金２外周への押圧が弱くなるので、その受金２の変形は少なくなり、あるいは変形しなくなるが、なお、板バネ１０による前記受金２とソケット本体１との圧接構造、及び板バネ１０によるランプ口金とソケット本体１との圧接構造による効果は維持し得る。
【００３４】
なお、ソケット本体の態様は自由であり、この実施形態の磁器によるいわゆるモーガルソケット以外の態様であってもよい。
【図面の簡単な説明】
【００３５】
【図１】一実施形態の断面図
【図２】図１の平面図
【図３】図１の底面図
【図４】図１の要部拡大図
【図５】他の実施形態の要部拡大図
【符号の説明】
【００３６】
１  ソケット本体
２  受金
３  端子壁
４  差込口
６，７  端子台
８  中央接触子
９  透孔
１０  板バネ
１０ａ，１０ｂ  側端
１１ａ，１１ｂ  支持部
１２ａ，１２ｂ  押圧部
１３  圧接部
１５，１６，１７  ビス
２０  コイルバネ
【図１】
2005347070.tif 000003
【図２】
2005347070.tif 000004
【図３】
2005347070.tif 000005
【図４】
2005347070.tif 000006
【図５】
2005347070.tif 000007